(57)【要約】【課題】数字選択式の宝くじにおいて、顧客が入力することを希望する抽選組数字を容易に入力する手段を提供する。【解決手段】ホストコンピュータと現金自動預払機とを通信回線を介して接続し、ホストコンピュータは、顧客が宝くじを購入するときに登録を希望した抽選組数字を顧客ＩＤに対応させて格納するくじ情報格納手段と、現金自動預払機からの顧客ＩＤを受信する手段と、受信した顧客ＩＤを基にくじ情報格納手段から該当する抽選組数字を抽出する手段と、抽出した抽選組数字を前記現金自動預払機へ送信する手段とを備え、現金自動預払機は、顧客の取引カードから顧客ＩＤを読取る手段と、読取った顧客ＩＤをホストコンピュータへ送信する手段と、ホストコンピュータからの抽出された抽選組数字を受信する手段と、受信した抽選組数字を選択可能に表示する手段と、顧客が選択した抽選組数字を顧客が購入する抽選組数字として受付ける手段とを備える。【選択図】        図１
2007094805.tif 000002
【特許請求の範囲】
【請求項１】
上位装置と、該上位装置と通信回線を介して接続する自動取引装置とを備えた宝くじ購入システムであって、
前記上位装置は、顧客が宝くじを購入するときに登録を希望した抽選組数字を、顧客ＩＤに対応させて格納するくじ情報格納手段と、
前記自動取引装置からの顧客ＩＤを受信する手段と、
該受信した顧客ＩＤを基に、前記くじ情報格納手段から該当する抽選組数字を抽出する手段と、
該抽出した抽選組数字を前記自動取引装置へ送信する手段とを備え、
前記自動取引装置は、顧客の取引カードから顧客ＩＤを読取る手段と、
該読取った顧客ＩＤを前記上位装置へ送信する手段と、
前記上位装置からの前記抽出された抽選組数字を受信する手段と、
該受信した抽選組数字を選択可能に表示する手段と、
顧客が選択した抽選組数字を、顧客が購入する抽選組数字として受付ける手段とを備えることを特徴とする宝くじ購入システム。
【請求項２】
請求項１において、
前記自動取引装置は、抽選組数字の入力を受付ける手段と、
該入力された抽選組数字の登録を顧客が希望した場合に、該入力された抽選組数字と前記顧客ＩＤとを新規登録くじ情報として前記上位装置へ送信する手段とを備え、
前記上位装置は、前記自動取引装置からの登録くじ情報を受信する手段と、
該受信した新規登録くじ情報の顧客ＩＤに対応させて、その抽選組数字を前記くじ情報格納手段に格納する手段とを備えることを特徴とする宝くじ購入システム。
【発明の詳細な説明】
【技術分野】
【０００１】
本発明は、ロト６やナンバーズ４等の数字選択式の宝くじを自動取引装置を用いて購入するときの宝くじ購入システムに関する。
【背景技術】
【０００２】
従来の自動取引装置は、取引選択画面に表示された「宝くじ購入」ボタンが選択されると、自動取引装置は顧客の取引カードのカード情報を読取り、暗証番号を入力させてホストコンピュータと交信し、顧客の取引カードが有効な場合に数字選択式の宝くじ（単に宝くじという。）の種別を選択させ、その種別の抽選組数字を入力させ、顧客がその種別の宝くじの購入操作を行うと、ホストコンピュータと交信して購入代金の支払処理を行い、購入された宝くじの種別や抽選組数字等を明細票に印字して排出している。
【０００３】
この場合の抽選組数字の抽選数字の入力は、顧客が手動でテンキーを選択して抽選数字を１つづつ入力する方法と、自動キーを押下して乱数を用いて発生させた数字を選択した抽選数字として入力する方法と、およびこれらを混用する方法とが準備されており、顧客が選択した方法で入力した必要数の抽選数字を１つの抽選組数字として受付けている（例えば、特許文献１参照。）。
【特許文献１】特開２００１−２１６４４６号公報（第３頁段落００１１−第４頁段落００１６、第３図）
【発明の開示】
【発明が解決しようとする課題】
【０００４】
しかしながら、上述した従来の技術においては、顧客は抽選数字の選択を手動入力または乱数を用いた自動入力で行っているため、手動入力で行う場合は、ロト６であれば１〜４３の抽選数字から６個を、ミニロトであれば１〜３１の抽選数字から５個を、ナンバーズ４であれば０〜９の抽選数字から４個を、ナンバーズ３であれば０〜９の抽選数字から３個をその都度入力しなければならず、抽選数字の入力ミスが生じやすく、顧客の自動取引装置の専有時間が長くなって稼動効率が低下するという問題がある。
【０００５】
また、自動入力の場合は、乱数により発生させた数字により抽選数字の入力を行わなければならず、表示された数字を抽選数字として選択したくない場合には何度も入力し直すことになり、顧客の自動取引装置の専有時間が長くなって稼動効率が低下するという問題がある。
更に、縁起のよい数字や自分のラッキーナンバー等を抽選数字とした１つの抽選組数字をあらかじめ決め、この顧客が入力することを希望する抽選組数字を入力したい場合は、特許文献１に示された自動入力を用いることができず、顧客はその抽選組数字をメモ等に記入して持参し、これを見ながらその都度手動で入力する必要があり、抽選数字の入力ミスが生じやすく、自動取引装置の稼動効率が低下すると共に顧客の利便性が低下するという問題がある。
【０００６】
本発明は、上記の問題点を解決するためになされたもので、顧客が入力することを希望する抽選組数字を容易に入力する手段を提供することを目的とする。
【課題を解決するための手段】
【０００７】
本発明は、上記課題を解決するために、上位装置と、該上位装置と通信回線を介して接続する自動取引装置とを備えた宝くじ購入システムであって、前記上位装置は、顧客が宝くじを購入するときに登録を希望した抽選組数字を、顧客ＩＤに対応させて格納するくじ情報格納手段と、前記自動取引装置からの顧客ＩＤを受信する手段と、該受信した顧客ＩＤを基に、前記くじ情報格納手段から該当する抽選組数字を抽出する手段と、該抽出した抽選組数字を前記自動取引装置へ送信する手段とを備え、前記自動取引装置は、顧客の取引カードから顧客ＩＤを読取る手段と、該読取った顧客ＩＤを前記上位装置へ送信する手段と、前記上位装置からの前記抽出された抽選組数字を受信する手段と、該受信した抽選組数字を選択可能に表示する手段と、顧客が選択した抽選組数字を、顧客が購入する抽選組数字として受付ける手段とを備えることを特徴とする。
【発明の効果】
【０００８】
これにより、本発明は、顧客はメモ等を持参しなくても入力することを希望する抽選組数字を容易に入力することができ、抽選数字の入力ミス等を防止して顧客の自動取引装置の専有時間を短縮することができ、自動取引装置の稼動効率を向上させることができるという効果が得られる。
現金自動預払機
【発明を実施するための最良の形態】
【０００９】
以下に、図面を参照して本発明による宝くじ購入システムの実施例について説明する。
【実施例１】
【００１０】
図１は実施例の宝くじ購入取引処理を示すフローチャート、図２は実施例の宝くじ購入システムを示すブロック図である。
図２において、１は自動取引装置としての現金自動預払機であり、銀行等の金融機関や郵政公社等（金融機関等という。）の支店や郵便局、コンビニエンスストア等の店舗に設置され、取引カードを用いて顧客との間での取引を自動で行う。
【００１１】
２は金融機関等のセンタに設置された上位装置としてのホストコンピュータであり、店舗に設置されている現金自動預払機１と専用回線や電話回線等の通信回線３を介して接続しており、顧客を識別するための顧客ＩＤに対応させて顧客の口座の店番号や口座番号等口座情報やその暗証番号、口座残高等の顧客情報を格納する顧客情報データベース４、および顧客ＩＤに対応させて顧客が宝くじを購入するときに登録を希望した宝くじ種別とその抽選組数字を登録くじ情報として格納するくじ情報データベース５を保有して顧客の口座を管理すると共に顧客の登録くじ情報を管理する。
【００１２】
なお、本実施例では顧客ＩＤとして、顧客の口座の口座番号が用いられる。
６は現金自動預払機１の主制御部であり、通信部７によって通信回線３を介してホストコンピュータ２と接続しており、現金自動預払機１内の各部を制御して取引処理等を実行すると共にデータ通信等も制御する。
通信部７は、現金自動預払機１とホストコンピュータ２とをその通信言語変換機能により専用回線３を介して相互に通信可能に接続する機能、通信データの宛先等により送信経路を制御する機能や自己へ送信された通信データを選択的に受信する機能等を制御する機能等を有している。
【００１３】
８は記憶部であり、主制御部６が実行するプログラムやそれに用いる各種のデータおよび主制御部６による処理結果等が格納される。
９は顧客操作部であり、ＣＲＴやＬＣＤ等の表示画面とタッチパネル等の入力手段との組合せで構成されており、表示画面に取引選択画面や各種の入力画面、顧客の処置を促す画面等を表示する他、入力手段により顧客からの入力を受付ける。
【００１４】
１０はカード取扱部であり、挿入された顧客のキャッシュカード等の取引カードの磁気ストライプやＩＣチップ等に記録されている顧客ＩＤや口座情報等のカード情報を読み書きする機能を有すると共に明細票等に取引内容等を印刷する機能等を有している。
１１は通帳取扱部であり、挿入された顧客の通帳の磁気ストライプやＩＣチップ等に記録されている通帳情報を読み書きする機能を有すると共に取引内容等を顧客の通帳に記帳する機能を有している。
【００１５】
１２は紙幣入出金部であり、顧客が投入した紙幣を受入れ、これを鑑別および計数して収納し、顧客に支払う紙幣を計数して顧客に引渡す機能を有している。
１３は硬貨入出金部であり、顧客が投入した硬貨を受入れ、これを鑑別および計数して収納し、顧客に支払う硬貨を計数して顧客に引渡す機能を有している。
上記の現金自動預払機１の記憶部８には、予め顧客との間で入金取引等の各種の取引を行うための通常の取引処理プログラムに、顧客が宝くじの購入を希望する場合に登録されている抽選組数字を表示し選択させる等により抽選組数字の入力を受付け、これを顧客が購入する場合に取引カードによる代金支払を行う機能を有するアプリケーションプログラム等が追加された業務処理実行プログラムが格納されており、主制御部６が実行する業務処理実行プログラムのステップにより本実施例の現金自動預払機１のハードウェアとしての各機能手段が形成される。
【００１６】
また、ホストコンピュータ２には、通常の本人認証機能および口座管理機能等を備えた勘定方管理プログラムに、宝くじの登録くじ情報を管理する機能を有するアプリケーションプログラム等が追加された管理処理実行プログラムがインストールされており、ホストコンピュータ２が実行する管理処理実行プログラムのステップにより本実施例のホストコンピュータ２のハードウェアとしての各機能手段が形成される。
【００１７】
上記の構成の作用について説明する。
以下に、図１に示すフローチャートを用い、Ｓで示すステップに従って本実施例の宝くじ購入取引処理について説明する。
金融機関等の店舗の係員が、始業時等に現金自動預払機１へ電源を投入すると、現金自動預払機１の記憶部８に格納されている業務処理実行プログラムが自動的に起動される。
【００１８】
Ｓ１、業務処理実行プログラムが起動すると、現金自動預払機１の主制御部６は業務処理実行プログラムによりその顧客操作部９の画面に図３に示す取引選択画面を表示して待機する。
取引選択画面には、取引選択ボタンの押下を促す旨の文言と入金取引のための「お預け入れ」ボタンおよび出金取引のための「お引き出し」ボタン、通帳に未記入の取引データを記帳する通帳記帳取引のための「通帳記帳」ボタン、口座残高を照会する残高照会取引のための「残高照会」ボタン、宝くじを購入してその代金支払を行う宝くじ購入取引のための「宝くじ購入」ボタン等の取引を選択するための取引選択ボタンが表示されている。
【００１９】
本実施例では、顧客は宝くじ購入取引を選択し、顧客操作部９の画面からタッチパネルによって「宝くじ購入」ボタンを押下する。
Ｓ２、顧客の選択した取引選択ボタンの押下をタッチパネルからの信号等により受付けた主制御部６は、顧客の選択した取引を宝くじ購入取引と認識したときはステップＳ４へ移行する。顧客の選択した取引を宝くじ購入取引以外の他の取引と認識したときはステップＳ３へ移行する。
【００２０】
Ｓ３、顧客の選択した取引を宝くじ購入取引以外の他の取引と認識した主制御部６は、顧客が選択した取引に従って通常の入金取引等の他の取引の取引処理を実行する。
なお、他の取引の取引処理の作動は、通常の取引処理の作動と同様であるのでその説明を省略する。
他の取引処理の実行を終えた主制御部６は、その取引処理を終了させ、ステップＳ１へ戻って顧客操作部９の画面に取引選択画面を表示して待機する。
【００２１】
Ｓ４、顧客の選択した取引を宝くじ購入取引と認識した主制御部６は、顧客操作部９の画面に図４に示す利用内容確認画面を表示する。
利用内容確認画面には、宝くじの購入の際の注意事項や購入内容を記載した用紙の出力先を示す文言、および表示内容を確認したことを指示するための「確認」ボタン、宝くじ購入取引を取り止めることを指示するための「取消」ボタン等の指示ボタンが表示される。
【００２２】
顧客は、表示内容を確認したことを指示するときは「確認」ボタンを、宝くじ購入取引を取り止めることを指示するときは「取消」ボタンを押下する。
本実施例では、顧客は「確認」ボタンを押下する。
なお、「取消」ボタンが押下された場合は、主制御部６は宝くじ購入取引処理を終了させ、ステップＳ１へ戻って顧客操作部９の画面に取引選択画面を表示して待機する。
【００２３】
「確認」ボタンの押下を受付けた主制御部６は、顧客操作部９の画面に取引カードの挿入を促す旨の文言とその挿入動作イラスト、および宝くじ購入取引を取り止めることを指示するための「取消」ボタン等を表示した図５に示すカード挿入依頼画面を表示し、顧客はこれに従って取引カードをカード取扱部１０に挿入する。
このとき、主制御部６は、カード取扱部１０によって取引カードの磁気ストライプ等に記録されている顧客ＩＤ等のカード情報を読取り、読取ったカード情報を記憶部８に一時保存する。
【００２４】
なお、「取消」ボタンが押下された場合は、主制御部６は取引カードをカード取扱部１０から排出して顧客に返却し、宝くじ購入取引処理を終了させてステップＳ１へ戻り、顧客操作部９の画面に取引選択画面を表示して待機する。（以下、表示画面に「取消」ボタンが表示されているときは同様に作動する。）
Ｓ５、カード情報を読取った主制御部６は、顧客操作部９の画面に図６に示す暗証番号入力画面を表示する。
【００２５】
暗証番号入力画面には、暗証番号の入力を促す旨の文言および暗証番号表示欄とその入力のためのテンキーや入力の間違いを訂正するための「訂正」ボタン、並びに宝くじ購入取引を取り止めることを指示するための「取消」ボタン等が表示される。
顧客はテンキー等によって暗証番号を入力する。
Ｓ６、暗証番号の入力を受付けた主制御部６は、顧客操作部９の画面にしばらくの間の待機を促す旨の文言を表示した図７に示す認証処理の待機依頼画面を表示すると共に、入力された暗証番号を基に顧客認証の交信処理を実行する。
【００２６】
すなわち、主制御部６は記憶部８に一時保存したカード情報を読出し、読出したカード情報の顧客ＩＤに入力された暗証番号を添付した顧客認証依頼を作成し、これを通信部７によって通信回線３を介してホストコンピュータ２へ送信する。
顧客認証依頼を受信したホストコンピュータ２は、管理処理実行プログラムにより顧客認証のために顧客認証依頼の顧客ＩＤを基に顧客情報データベース４の顧客情報を検索して該当する顧客情報の暗証番号と顧客認証依頼の暗証番号とを照合し、暗証番号が一致した場合は顧客を認証して顧客認証の旨の認証結果通知を作成する。暗証番号が一致しない場合は顧客が認証できない旨の認証結果通知を作成する。
【００２７】
認証結果通知を作成したホストコンピュータ２は、これを送信元の現金自動預払機１へ通信回線３を介して送信する。
Ｓ７、通信部７によって認証結果を受信した現金自動預払機１の主制御部６は、受信した認証結果が顧客認証の旨の認証結果の場合は、顧客操作部９の画面に図８に示す宝くじ種別選択画面を表示する。
【００２８】
宝くじ種別選択画面には、宝くじ種別の選択を促す旨の文言、および各宝くじ種別を表示文言とした宝くじ種別の選択ボタンとその説明、並びに宝くじ購入取引を取り止めることを指示するための「取消」ボタン等が表示される。
顧客は、宝くじ種別としてロト６を選択し、「ロト６」ボタンを押下する。
なお、受信した認証結果が、顧客が認証できない旨の認証結果通知の場合は、所定の回数、例えば３回の再入力を受付け、再入力された暗証番号が所定の回数を超えても一致しない場合は、主制御部６は取引カードをカード取扱部１０から排出して宝くじ購入取引処理を終了させ、ステップＳ１へ戻って顧客操作部９の画面に取引選択画面を表示して待機する。
【００２９】
Ｓ８、顧客が選択した宝くじ種別の選択ボタンの押下を受付けて宝くじ種別をロト６と認識した主制御部６は、選択された宝くじ種別を記憶部８に一時保存すると共に、顧客操作部９の画面に図９に示す抽選数字入力画面を表示する。
抽選数字入力画面には、抽選数字の入力を促す旨の文言と入力の必要数および入力中の抽選数字の表示欄とその入力のための１〜４３の数字キーや入力の間違いを訂正するための「訂正」ボタン、入力済みの抽選数字を一組にした抽選組数字の表示欄とその識別記号（本実施例では英文字）、並びに入力した１または複数の抽選組数字を購入することを指示するための「入力終了」ボタン、一組の抽選数字の入力後に更に抽選数字の入力を行うことを指示するための「続けて入力」ボタン、登録してある抽選組数字の表示を指示するための「お気に入り」ボタン、宝くじ購入取引を取り止めることを指示するための「取消」ボタン等が表示される。
【００３０】
顧客は抽選数字を手動で入力するときは、選択する抽選数字の数字キーを必要個数押下し、抽選数字の表示欄に表示された抽選数字を確認し必要に応じて「訂正」ボタンを押下して抽選数字を訂正し、更に抽選数字を入力するときは「続けて入力」ボタンを、入力した１または複数の抽選組数字を購入するときは「入力終了」ボタンを押下する。
また、登録してある抽選組数字の表示を指示するときは「お気に入り」ボタンを押下する。
【００３１】
Ｓ９、「お気に入り」ボタンの押下を待って待機していた主制御部６は、「お気に入り」ボタンの押下を受付けたときにステップＳ１１へ移行する。「お気に入り」ボタンが押下されない場合はステップＳ１０へ移行する。
Ｓ１０、「入力終了」ボタンの押下を待って待機していた主制御部６は、「入力終了」ボタンの押下を受付けたときにステップＳ１４へ移行する。「入力終了」ボタンが押下されない場合はステップＳ８へ戻って抽選組数字の入力を受付けながらステップＳ９、Ｓ１０による待機を継続する。
【００３２】
Ｓ１１、「お気に入り」ボタンの押下を受付けた主制御部６は、ホストコンピュータ２との交信処理により取引中の顧客が登録した登録くじ情報を取得する。
すなわち、主制御部６は記憶部８に一時保存した宝くじ種別と、取引カードから読取ったカード情報とを読出し、カード情報の顧客ＩＤと読出した宝くじ種別とを記した登録くじ情報送信要求を、通信部７によって通信回線３を介してホストコンピュータ２へ送信する。
【００３３】
登録くじ情報送信要求を受信したホストコンピュータ２は、登録くじ情報送信要求の顧客ＩＤと宝くじ種別を基にくじ情報データベース５の検索し、該当する顧客ＩＤの該当する宝くじ種別の抽選組数字を全て抽出し、これを送信元の現金自動預払機１へ通信回線３を介して送信する。
通信部７によって抽出された抽選組数字を受信した現金自動預払機１の主制御部６は、顧客操作部９の画面に受信した抽選組数字を表示した図１０に示す登録抽選組数字表示画面を表示する。
【００３４】
登録抽選組数字表示画面には、表示された抽選組数字が登録されているものであることを示す旨の文言と修正や個別選択等の場合の操作説明の文言および登録されている抽選組数字の表示欄とその選択のための識別記号を表示文言とした選択ボタン、並びに表示された全ての抽選組数字を入力した抽選組数字とすることを指示するための「確認」ボタン、宝くじ購入取引を取り止めることを指示するための「取消」ボタン等が表示される。
【００３５】
顧客は表示された全ての抽選組数字を入力した抽選組数字とすることを指示するときは「確認」ボタンを、表示された抽選組数字の個別の選択、または修正を行うときはその識別記号を選択してその選択ボタンを押下する。
Ｓ１２、顧客のボタンの押下を受付けた主制御部６は、顧客の選択ボタンの押下を受付けたときはステップＳ１３へ移行する。
【００３６】
顧客の「確認」ボタンの押下を受付けたときは、ステップＳ８へ戻り、抽選数字入力画面の該当する識別記号に対応する入力済みの抽選組数字の表示欄に、受信した抽選組数字を表示する。
そして、表示された抽選組数字を確認した顧客が「入力終了」ボタンを押下すると、主制御部６はステップＳ１０によりその押下を認識してステップＳ１４へ移行する。
【００３７】
Ｓ１３、選択ボタンの押下を受付けたことにより抽選組数字の個別選択、または修正が必要と判定した主制御部６は、顧客操作部９の画面に図１１に示す抽選数字修正画面を表示する。
抽選数字修正画面には、抽選数字の入力を促す旨の文言と入力の必要数および修正前の登録された抽選組数字の表示欄、入力中の抽選数字の表示欄とその入力のための１〜４３の数字キーや入力の間違いを訂正するための「訂正」ボタン、並びに入力した抽選組数字、または修正前の登録された抽選組数字の表示欄の抽選組数字を入力した抽選組数字とすることを指示するための「確認」ボタン、宝くじ購入取引を取り止めることを指示するための「取消」ボタン等が表示される。
【００３８】
顧客は抽選組数字の表示欄に表示された抽選組数字をそのまま入力した抽選組数字とするときは、数字キーによる入力を行わずに「確認」ボタンを押下する。
抽選組数字の表示欄に表示された抽選組数字を修正するときは、上記ステップＳ８の手動入力と同様にして必要個数の数字キーを押下して「確認」ボタンを押下する。
「確認」ボタンの押下を受付けた主制御部６は、数字キーによる入力が行われなかったときは抽選組数字の表示欄に表示した抽選組数字を入力された抽選組数字とし、数字キーによる入力が行われたときは入力された一組の抽選数字を入力された抽選組数字としてステップＳ８へ戻り、抽選数字入力画面の該当する識別記号に対応する入力済みの抽選組数字の表示欄に、入力された抽選組数字を表示する。
【００３９】
このようにして、登録された抽選組数字の個別選択により、または修正が行われて表示された抽選組数字を確認した顧客が「入力終了」ボタンを押下すると、主制御部６はステップＳ１０によりその押下を認識してステップＳ１４へ移行する。
Ｓ１４、「入力終了」ボタンの押下を受付けた主制御部６は、これを顧客が購入する抽選組数字として受付け、顧客操作部９の画面に図１２に示す申込数入力画面を表示する。
【００４０】
申込数入力画面には、各抽選組数字の購入する口数および継続して購入する回数の入力を促す旨の文言と口数の入力等の場合の操作説明の文言、および入力された口数と回数の表示欄とその入力のためテンキーや入力の間違いを訂正するための「訂正」ボタン、並びに口数を入力することを指示するための「口数」ボタン、回数を入力することを指示するための「回数」ボタン、入力した口数および回数の確定を指示するための「確認」ボタン、宝くじ購入取引を取り止めることを指示するための「取消」ボタン等が表示される。
【００４１】
顧客は、「口数」ボタンの押下後にテンキー等によって口数を入力し、「回数」ボタンの押下後にテンキー等によって回数を入力して「確認」ボタンを押下する。
Ｓ１５、「確認」ボタンの押下を受付けた主制御部６は、顧客操作部９の画面に図１３に示す申込内容確認画面を表示する。
申込内容確認画面には、申込内容の確認を促す旨の文言と修正等の場合の操作説明の文言、および購入する口数と回数の表示欄、購入される１または複数の抽選組数字とその選択のための識別記号を表示文言とした選択ボタンとその抽選組数字の登録を行うことを指示するための「保存」ボタン、並びに購入する口数を修正することを指示するための「口数」ボタン、購入する回数を修正することを指示するための「回数」ボタン、表示内容を確認したことを指示するための「確認」ボタン、宝くじ購入取引を取り止めることを指示するための「取消」ボタン等が表示される。
【００４２】
この場合に、新たに入力して購入する抽選組数字の「保存」ボタンはアクティブに表示され、登録済みの抽選組数字をそのまま購入する抽選組数字の「保存」ボタンは非アクティブに表示される。本実施例では識別記号「Ｂ」の「保存」ボタンがアクティブ表示とされ、他の「保存」ボタンは非アクティブ表示とされている。
顧客は、新たに入力して購入する抽選組数字の登録を希望するときは、その識別記号の「保存」ボタンを押下する。
【００４３】
表示された内容の宝くじを購入するときは「確認」ボタンを押下する。
また、顧客は購入する抽選組数字を修正するときは、識別記号を表示文言とした選択ボタンを押下する。
選択ボタンの押下を受付けた主制御部６は、上記ステップＳ１３と同様の抽選数字修正画面を表示し、抽選組数字の修正入力を受付け、「確認」ボタンが押下されたときにステップＳ１５へ戻り、申込内容確認画面の該当する識別記号に対応する購入される抽選組数字の表示欄に、修正後の抽選組数字を表示する。
【００４４】
更に、顧客は購入する口数および／もしくは回数を修正するときは、「口数」ボタンおよび／もしくは「回数」ボタンを押下する。
この指示ボタンの押下を受付けた主制御部６は、ステップＳ１４へ戻って申込数入力画面を表示し、口数および／もしくは回数の修正入力を受付け、「確認」ボタンが押下されたときにステップＳ１５へ移行し、修正された口数および／もしくは回数を口数および／もしくは回数の表示欄に表示する。
【００４５】
Ｓ１６、「保存」ボタンの押下を待って待機していた主制御部６は、「保存」ボタンの押下を受付けたときにステップＳ１８へ移行する。「保存」ボタンが押下されない場合はステップＳ１７へ移行する。
Ｓ１７、「確認」ボタンの押下を待って待機していた主制御部６は、「確認」ボタンの押下を受付けたときにステップＳ２０へ移行する。「確認」ボタンが押下されない場合はステップＳ１５へ戻って選択ボタンまたは「保存」ボタンの押下を受付けながらステップＳ１６、Ｓ１７による待機を継続する。
【００４６】
Ｓ１８、顧客の「保存」ボタンの押下を受付けた主制御部６は、表示している申込内容確認画面の前面に、登録の要否を問う旨の文言と登録をすることを指示するための「はい」ボタン、登録を取り止めることを指示するための「いいえ」ボタン等を表示したダイアログボックスを表示し、「いいえ」ボタンの押下を受付けたときはダイアログボックスの表示を消去してステップＳ１７へ移行する。
【００４７】
「はい」ボタンの押下を受付けたときは「保存」ボタンが押下された抽選組数字の登録が必要と判定してステップＳ１９へ移行する。
Ｓ１９、抽選組数字の登録が必要と判定した主制御部６は記憶部８に一時保存した宝くじ種別と、取引カードから読取ったカード情報とを読出し、カード情報の顧客ＩＤに読出した宝くじ種別と「保存」ボタンが押下された抽選組数字とを添付した新規登録くじ情報を、通信部７によって通信回線３を介してホストコンピュータ２へ送信してステップＳ１５へ戻り、該当する「保存」ボタンを非アクティブ表示とした申込内容確認画面を表示する。
【００４８】
一方、新規登録くじ情報を受信したホストコンピュータ２は、新規登録くじ情報の顧客ＩＤに対応させてその宝くじ種別と抽選組数字とをくじ情報データベース５に格納して登録する。
Ｓ２０、「確認」ボタンの押下を受付けた主制御部６は、顧客操作部９の画面に図１４に示す購入代金確認画面を表示する。
【００４９】
購入代金確認画面には、購入代金の確認を促す旨の文言と購入代金表示欄および購入代金を算出する基礎となった購入する宝くじの単価、抽選組数字の数、口数および回数、並びに基礎となった各数値を確認または修正するとき等に前画面（図１３の申込内容確認画面）に戻ることを指示するための「前画面」ボタン、購入代金を確認したことを指示するための「確認」ボタン等が表示される。
【００５０】
顧客は、購入代金を確認して「確認」ボタンを押下する。
なお、顧客が基礎となった各数値の確認または修正が必要と判断して「前画面」ボタン押下したときは、主制御部６はステップＳ１５へ戻り、図１３に示す申込内容確認画面を表示してステップＳ１５以降の作動を実行する。
「確認」ボタンの押下を受付けた主制御部６は、顧客操作部９の画面に図１５に示す購入内容確認画面を表示する。
【００５１】
購入内容確認画面には、宝くじを購入した際の注意事項や購入内容を記載した用紙の出力先を示す文言、および表示内容を確認して購入を確定することを指示するための「確認」ボタン、宝くじ購入取引を取り止めることを指示するための「取消」ボタン等が表示される。
顧客は、宝くじの購入の確定を指示するときは「確認」ボタンを、宝くじ購入取引を取り止めることを指示するときは「取消」ボタンを押下する。
【００５２】
本実施例では、顧客は「確認」ボタンを押下する。
Ｓ２１、「確認」ボタンの押下を受付けて宝くじの購入が確定されたことを認識した主制御部６は、ホストコンピュータ２との間で代金支払の交信処理を行う。
すなわち、主制御部６は顧客操作部９の画面にしばらくの間の待機を促す旨の文言を表示した図１６に示す代金支払処理の待機依頼画面を表示すると共に、記憶部８に一時保存したカード情報を読出し、読出したカード情報の顧客ＩＤ等に確定されたや購入代金等を添付した宝くじ購入取引の取引電文を作成し、これを通信部７によって通信回線３を介してホストコンピュータ２へ送信する。
【００５３】
宝くじ購入取引の取引電文を受信したホストコンピュータ２は、取引電文に含まれる顧客ＩＤを基に顧客情報データベース４の顧客情報を検索して該当する顧客情報の口座残高から購入代金を引き落として口座残高を更新し、宝くじ購入取引の代金支払が終了した旨の取引終了通知を送信元の現金自動預払機１へ通信回線３を介して送信する。
Ｓ２２、通信部７によって取引終了通知を受信した現金自動預払機１の主制御部６は、顧客操作部９の画面に宝くじ購入取引を終了することを指示するための「終了」ボタン、宝くじ購入取引を継続することを指示するための「宝くじ連続購入」ボタン、およびこれらの説明文等を表示した図１７に示す取引終了確認画面を表示する。
【００５４】
顧客は、宝くじ購入取引を終了するときは「終了」ボタンを、宝くじ購入取引を継続するときは「宝くじ連続購入」ボタンを押下する。
Ｓ２３、顧客の指示ボタンの押下を受付けた主制御部６は、顧客の「終了」ボタンの押下を受付けたときは、宝くじ購入取引の終了を判定してステップＳ２４へ移行する。
顧客の「宝くじ連続購入」ボタンの押下を受付けたときは、宝くじ購入取引の継続を判定してステップＳ７へ戻り、ステップＳ７以降の作動を実行する。
【００５５】
Ｓ２４、宝くじ購入取引の終了を判定した主制御部６は、顧客操作部９の画面に取引カードや明細票の受取りを促す旨の文言を表示したカード等受取依頼画面を表示すると共に、購入された抽選組数字や口数、回数、購入代金等を基に印刷データを作成し、これをカード取扱部１０へ送って明細票に印刷し、カード取扱部１０から取引カードや明細票を排出する。
【００５６】
そして、主制御部６は顧客がこれらを受取ったことを確認して宝くじ購入取引処理を終了させ、ステップＳ１へ戻って顧客操作部９の画面に取引選択画面を表示して待機する。
このように、本実施例では、顧客が宝くじを購入するときに登録を希望したお気に入りの抽選組数字と宝くじ種別を登録しておくので、顧客は取引カードを持参していれば、銀行の支店の現金自動預払機１およびコンビニエンスストアの現金自動預払機１やマルチメディア端末等を用いて、いつでも、どこでもお気に入りの抽選組数字によって宝くじを購入することができる他、乱数による無作為に発生させた抽選数字を用いないので抽選数字の自動入力における取引時間を短縮することができると共に手動入力の手間を省いてその取引時間を短縮することができる。
【００５７】
以上説明したように、本実施例では、ホストコンピュータに顧客が宝くじを購入したときに登録を希望した抽選組数字を顧客ＩＤに対応させて格納するくじ情報データベースを設け、現金自動預払機を用いて宝くじを購入する顧客が、登録した抽選組数字による宝くじの購入を希望したときに、現金自動預払機が取引カードから読取った顧客ＩＤによりホストコンピュータから登録された抽選組数字を取得し、これを選択可能に表示して顧客が選択した抽選組数字を顧客が購入する抽選組数字として受付けるようにしたことによって、顧客はメモ等を持参しなくても入力することを希望する抽選組数字を容易に入力することができ、抽選数字の入力ミス等を防止して顧客の現金自動預払機の専有時間を短縮することができ、現金自動預払機の稼動効率を向上させることができる。
【００５８】
また、顧客が新たに入力して購入する抽選組数字を、顧客の選択によりホストコンピュータのくじ情報データベースに登録するようにしたことによって、顧客は抽選組数字の登録を希望するときにいつでも抽選組数字を登録することができる。
なお、上記実施例においては、顧客ＩＤは口座番号であるとして説明したが、顧客ＩＤは前記に限らず、顧客を個々に識別する識別記号（数字を含む。）を設定して取引カードに記録するようにしてもよく、取引カードから読取ったカード情報の店番号や口座番号等を基に顧客ＩＤを生成するようにしてもよい。要は取引カードのカード情報から読取ることができる記号および／もしくは数字により顧客を個々に識別するものであればどのようなものであってもよい。
【００５９】
また、上記実施例においては、くじ情報データベース設ける上位装置はホストコンピュータであるとして説明したが、上位装置は前記に限らず、上位装置を現金自動預払機と通信可能に構成したサーバとし、そこにくじ情報データベースを設けるようにしてもよい。
この場合に、現金自動預払機は、登録くじ情報を取得するときは前記のサーバと交信し、本人認証処理および購入代金の代金支払処理を行うときはホストコンピュータと交信するとよい。
【００６０】
更に、上記実施例においては、自動取引装置は現金自動預払機であるとして説明したが、自動取引装置は前記に限らず、無人契約機やマルチメディア端末等の取引カードを用いて顧客との取引を行う自動取引装置であればどのような自動取引装置に適用しても本発明と同様の効果を得ることができる。
【図面の簡単な説明】
【００６１】
【図１】実施例の宝くじ購入取引処理を示すフローチャート
【図２】実施例の宝くじ購入システムを示すブロック図
【図３】実施例の取引選択画面を示す説明図
【図４】実施例の利用内容確認画面を示す説明図
【図５】実施例のカード挿入依頼画面を示す説明図
【図６】実施例の暗証番号入力画面を示す説明図
【図７】実施例の認証処理の待機依頼画面を示す説明図
【図８】実施例の宝くじ種別選択画面を示す説明図
【図９】実施例の抽選数字入力画面を示す説明図
【図１０】実施例の登録抽選組数字表示画面を示す説明図
【図１１】実施例の抽選数字修正画面を示す説明図
【図１２】実施例の申込数入力画面を示す説明図
【図１３】実施例の申込内容確認画面を示す説明図
【図１４】実施例の購入代金確認画面を示す説明図
【図１５】実施例の購入内容確認画面を示す説明図
【図１６】実施例の代金支払処理の待機依頼画面を示す説明図
【図１７】実施例の取引終了確認画面を示す説明図
【符号の説明】
【００６２】
１    現金自動預払機
２    ホストコンピュータ
３    通信回線
４    顧客情報データベース
５    くじ情報データベース
６    主制御部
７    通信部
８    記憶部
９    顧客操作部
１０  カード取扱部
１１  通帳取扱部
１２  紙幣入出金部
１３  硬貨入出金部
【図１】
2007094805.tif 000003
【図２】
2007094805.tif 000004
【図３】
2007094805.tif 000005
【図４】
2007094805.tif 000006
【図５】
2007094805.tif 000007
【図６】
2007094805.tif 000008
【図７】
2007094805.tif 000009
【図８】
2007094805.tif 000010
【図９】
2007094805.tif 000011
【図１０】
2007094805.tif 000012
【図１１】
2007094805.tif 000013
【図１２】
2007094805.tif 000014
【図１３】
2007094805.tif 000015
【図１４】
2007094805.tif 000016
【図１５】
2007094805.tif 000017
【図１６】
2007094805.tif 000018
【図１７】
2007094805.tif 000019